(57)【特許請求の範囲】
【請求項１】
透液性トップシートと不透液性バックシートと、これらの間に挟まれた、体液を吸収して保持する吸収要素と、を備えた吸収性物品において、
前記吸収要素が存在する部位における、前記透液性トップシートの表面に、少なくとも製品内面側から視認可能な前後表記を設けるとともに、
この前後表記を、抗炎症剤を含む層により形成したことを特徴とする、前後表記付吸収性物品。
【請求項２】
透液性トップシートと不透液性バックシートと、これらの間に挟まれた、体液を吸収して保持する吸収要素と、を備えた吸収性物品において、
前記吸収要素が存在しない部位における、前記透液性トップシートの表面に、製品内面側からだけでなく製品外面側からも視認可能な前後表記を設けるとともに、
この前後表記を、抗炎症剤を含む層により形成したことを特徴とする、前後表記付吸収性物品。
【請求項３】
前記透液性トップシート及び前記不透液性バックシートの反射率がそれぞれ３０％以下である、請求項２記載の前後表記付吸収性物品。
【発明の詳細な説明】
【０００１】
【発明の属する技術分野】
本発明は、装着ミスを起こしにくい体液吸収性物品（生理用ナプキン、使い捨て失禁パッド、尿パッド、パンツ型若しくは止着型使い捨て紙おむつ等）に関する。
【０００２】
【従来の技術】
従来より、かかる吸収性物品の多くは、機能的に前後の区別を有している。特に尿パッド（または失禁パッド）は漏れを防止するために、女性が使用する際は臀部側に大きい吸収層、男性が使用する際は腹側に大きい吸収層をあてがうようになっている。
【０００３】
例えば、カバー手段と組み合わせて使用される吸収性物品、特に尿パッド（または失禁パッド）はその形が前後対象に近いため前後が分かり難く、装着ミスを起こし易かった。そのため従来から、装着時におけるカバー手段に対するズレを防止する目的で製品外面に付けられているズレ防止粘着材層の剥離シートに前後表記を印刷するという対策が広く採用されていた。
【０００４】
【発明が解決しようとする課題】
しかし、吸収性物品であれば、パッド型であれ又はおむつ型であれ、自分で装着する時には物品外面を視認できないか、視認し難く、結局のところ装着直前において前後が確認し難いという問題点があった。
【０００５】
そこで、本発明の主たる課題は、装着直前まで前後を容易に確認でき、装着ミスを起こしにくい吸収性物品を提供することにある。
【０００６】
【課題を解決するための手段】
上記課題を解決した本発明は、次記のとおりである。
＜請求項１記載の発明＞
透液性トップシートと不透液性バックシートと、これらの間に挟まれた、体液を吸収して保持する吸収要素と、を備えた吸収性物品において、
前記吸収要素が存在する部位における、前記透液性トップシートの表面に、少なくとも製品内面側から視認可能な前後表記を設けるとともに、
この前後表記を、抗炎症剤を含む層により形成したことを特徴とする、前後表記付吸収性物品。
＜請求項２記載の発明＞
透液性トップシートと不透液性バックシートと、これらの間に挟まれた、体液を吸収して保持する吸収要素と、を備えた吸収性物品において、
前記吸収要素が存在しない部位における、前記透液性トップシートの表面に、製品内面側からだけでなく製品外面側からも視認可能な前後表記を設けるとともに、
この前後表記を、抗炎症剤を含む層により形成したことを特徴とする、前後表記付吸収性物品。
＜請求項３記載の発明＞
前記透液性トップシート及び前記不透液性バックシートの反射率がそれぞれ３０％以下である、請求項２記載の前後表記付吸収性物品。
【０００７】
このように、内面側から視認可能な前後表記を設けることによって、自分で吸収性物品を装着する場合において装着直前まで前後を容易に確認できるようになり、装着ミスを起こしにくくなる。
【０００８】
【０００９】
吸収性物品の内面側から視認可能な前後表記を設ける場合、内面に前後表記を印刷等するのが簡易であり、好ましいが、通常の使用方法では前後表記が装着者の肌に接することとなる。よって、前後表記を、抗菌剤や抗炎症剤を含む層によって形成するのが望ましい。この「層」は、適宜の塗工液を塗布して形成するのが好ましいが、透液性等を有するシートによって形成しても良い。
【００１０】
【００１１】
【００１２】
【００１３】
【００１４】
【発明の実施の形態】
以下、本発明の実施の形態について尿パッドの例を引いて説明するが、本発明は「外側をカバーするおむつカバー等のカバー手段と組み合わせて使用される」ものであれば他の吸収性物品にも適用可能である。
（尿パッドへの応用例）
図１〜図３は、尿パッド例の展開状態の斜視図、およびその要部縦断面図をそれぞれ示しており、この例は、透液性トップシート１と不透液性バックシート２と、これらシート１，２の間に挟まれた吸収体３（吸収要素）とを主体として構成されている。
【００１５】
不透液性バックシート２は、ポリエチレンフィルム等からなり、縦方向の一方側部分の両側部に脚周りに沿う曲線部２０，２０がそれぞれ形成されたものであり、本例では、この不透液性バックシート２がカバー手段の内面と接する外装シートを構成することになる。吸収体３は、高吸収性ポリマー粒子を含む綿状パルプ３０を主体とし、これをティッシュペーパー等３１により包装してなるものであり、不透液性バックシート２を若干スケールダウンした形状をなしている。また、透液性トップシート１は、不織布等からなり、その幅は吸収体３と略同じサイズとされているものの、その縦方向両端部は吸収体３よりも外側に延在しており、これら延在部においてホットメルト接着剤等により不透液性バックシート２の内面に固定されている。
【００１６】
また、本例の尿パッドでは、横漏れを防止するための脚周り起立カフス４，４が両側部にそれぞれ形成されている。この起立カフス４，４を形成するカフスシート４０，４０は不織布等からなり、製品縦方向長さに等しい長さを有し、脚周り曲線部２０，２０と対応する縦方向中間部においては、幅方向一端部が透液性トップシート側部および不透液性バックシート側部に跨って固定（この固定部分を図２に４２として示した）されるとともに、他端部は非固定の自由端部４１とされ、さらにこの自由端部４１はシート４０が折り返された二重構造となっており、折り返し内面間には、幅方向に複数本の糸ゴムＧ，Ｇ…等の弾性伸縮部材が伸張下に配置固定されている。一方、カフスシート４０の縦方向両端部においては、図３に示すように自由端部に連続する部分５１も折り畳まれて透液性トップシート２に対して固定される。かくして、伸縮部材Ｇ，Ｇ…の収縮作用により、脚周りに沿う自由端部４１が固定部分に対して起立される。またこの収縮作用によって製品が身体に沿う舟形状に丸められる。
【００１７】
かかる吸収性物品に対して本発明では前後表記１０，１０…が物品内面から視認可能なように設けられる。以下では、前後表記の設け方についていくつか例を上げて説明する。
【００１８】
（第１の形態（本発明に係る形態））
第１の形態は、図４および図５に示すように、物品内表面を構成する透液性トップシート１の表面に前後表記層１０，１０…を直に塗布形成したものである。かかる前後表記層１０，１０…は、グラビア印刷、フレキソ印刷、インクジェット印刷、スクリーン印刷、コート印刷等の公知の印刷手法を用いて形成することができる。
【００１９】
また塗工液は特に限定されるものではないが、印刷を施す対象となる材料に応じた適切な選択も必要である。例えばトップシートやバックシートの材料として多く用いられるポリエチレンフィルムや不織布に対しては、顔料若しくは染料を液体に分散させたものであれば使用可能であり、水中若しくは溶剤中に分散させたもの、又は常温で固体であっても加熱時に液体となるようなワックス中に分散させたホットメルト型のインクの選択も可能である。特に不織布に印刷する場合はワックスタイプが良好である。
【００２０】
本発明の前後表記１０の形態としては各種考えられるが、見易さや汎用性等の点では、図１及び図４に示すように矢印等の方向指示マーク１０Ａとともに、マーク１０Ａ内（矢印の近傍でも良い）に前後判別文字１０Ｂを併用した例を提案する。この場合、判別文字のサイズは、９ポイント以上、特に好適には１７ポイント以上にするのが好ましい。
【００２１】
このように、前後の判別のための表記として「前」「後」「腹」「尻」等の文字を印刷するとともに、直感的な方向理解のために矢印マークを付すことによって、より前後の判別が容易になる。また本発明における前後の判別のための表記として、図６に示すように前後の両表記を付しても良いが、図４に示すように前後いずれか一方の表記のみ（図示例は前のみ）を付すだけでも足りる。特に男女で前後が反対となる男女兼用タイプ（通常、男性の場合に脚周り曲線部２０，２０を境にしてより広い吸収体領域を有する側が前側となり、女性の場合にはその反対となる）においては、図４に示すように各性別毎の前後表記を付すのが望ましく、性別間で色合いを異ならしめるのも望ましい。またもちろん、本発明においては、図７に示すように方向指示マークを省略したり、矢印マークに代わる方向指示マーク、例えば図４の矢印マークの先端側にある山形マーク１０Ｃや三角形マーク等を付したりすることも可能である。さらにこれらの図示例では、複数の前後表記１０，１０…を付しているが、基本的に本発明においては前後表記の数には特に限定されない。
【００２２】
（第２の形態（参考形態））
第２の形態は、図８に示すように、吸収体３における製品内面側の表面に、前後表記層１０を塗布形成したものである。この場合、透液性トップシート１を通して吸収体３表面の前後表記１０を視認することができる。
【００２３】
このように前後表記が内表面層（透液性トップシート１）の内側にある場合は、内表面層として反射率が３０％以下、より好ましくは２０％以下の不織布を使用することによって、内表面層を通しての前後表記の視認が容易になる。
【００２４】
（第３の形態（参考形態））
上記形態の前後表記層１０は、吸収性物品にとって必要不可欠な構成要素に直に印刷したものであるが、例えば前後表記を印刷等により付したシートまたは前後表記の形状に形成したシートを、製品内面側から視認可能なように製品の所定位置、具体的には透液性トップシート１の表面、透液性トップシート１裏面、吸収体３の製品内面側表面に配置固定することもできる（図示せず）。かかる前後表記シートの素材としては透液性を有するものが好ましいが、不透液性で且つ通気性のものでも良く、また前後表記シートの面積を小さくしたとき等、場合によっては不透液性かつ不通気性のものでも良い。
【００２５】
（第４の形態（参考形態））
第４の形態は、図１４及び図１５に示すように、吸収体３が存在しない部位（特に好適には図示のように製品前後端部）に前後表記１０を設け、製品内面側からだけでなく外面側からも視認可能なように構成したものである。図示例では、トップシート１とバックシート２との間に前後表記１０を設けているが、本発明では、トップシート１の外表面に前後表記を設ける（図示せず）。
【００２６】
図示例の場合、前後表記１０をバックシート２の内面に印刷等により付すのが好ましいが、トップシート１の内面に設けても良いし、バックシート２の内面及びトップシート１の内面の両方に設けても良い。
【００２７】
さらにこの場合、トップシート１及びバックシート２として、反射率が３０％以下、より好ましくは２０％以下のものを用いるのが好ましい。
【００２８】
（抗炎症剤について）
本発明では、前後表記を、抗炎症剤を含む層により形成する。特に人体と接する前後表記層１０，１０を設ける場合、具体的に前述の形態でいえば透液性トップシート１の表面に前後表記塗工層１０または前後表記シート層を設ける場合、その層１０に抗炎症剤を含ませるのが好ましい。また、抗炎症剤とともに抗菌剤を含ませるのも好ましい。もちろん、他の場合においても透液性トップシート１、吸収体３または前後表記層１０自体に抗菌剤等を含ませることもできる。
【００２９】
また、このような抗菌剤等を含有する前後表記１０を形成するにあたっては、抗菌剤等を予めシートまたは塗工液内に含有させても良いし、塗工液の塗布後またはシート貼り付け後に、前後表記層１０の表面に対して塗布・散布等により付与しても良い。
【００３０】
抗菌剤としては、天然素材からの抽出物であるキチンキトサン、ヨモギエキス、ユーカリ抽出物、アロエエキス、ドクダミ抽出物、甘草、緑茶抽出物（カテキン）、各種ハーブ抽出物が好適に使用できるが、銀、銅、リン酸カルシウム、ゼオライト、活性炭などの無機物や、安息香酸、ソルビン酸カリウム、脂肪酸グリセリンエステル、ジンクピリチオン、塩化ベンザルコニウム、塩化セチルピリジニウムなどの有機系化合物を使用することもできる。
【００３１】
また抗炎症剤としては、グリチルリチン誘導体、アラントロン等の公知の物質を用いることができる。
【００３２】
（前後表記の色について）
望ましい前後表記１０の色としては、その周囲の内面（前述例の場合には透液性トップシート１）の色との色差ΔＥ* ab（周知のように、ΔＥ* ab＝（Δａ2＋Δｂ2＋ΔＬ2）1/2 である）が２５より大きい色、好ましくは２５〜１００、より好ましくは３５〜７５の範囲にある色、すなわち容易に読み取れる程度の差がある色を選択するのが望ましい。また、これら前後表記１０およびその周囲の内面の色がL*a*b*表色系でL*≧２５の色であると全体的に暗くならない。ただし、両色ともにL*値が７０以上の明るい色の場合などにおいては、明暗の差が少ないと見難くなることもあるので、前後表記１０およびその周囲の内面間におけるL*値の差ΔL*は、１０以上であるのが望ましい。さらにL*a*b*表色系でa*＜０且つb*＜０の色、すなわち緑と青との間の色は落ち着きがあり目に優しいとともに、清涼感・清潔感を想起させることができるため好ましい。特に、これら前後表記１０およびその周囲の内面の色としては、吸収性物品として好ましくない色、例えば排泄物や血液を連想させる（または見間違える）ような「黄色系、茶色系」や「赤（特に鮮明な赤）」は避けるようにするのが望ましい。
【００３３】
（外面の前後表記）
他方、本発明においても前述の従来例と同様に製品外面から視認可能な前後表記を設けることができる。これによって、使用者の見ている面が製品の内面であると外面であるとを問わず、前後が一見してわかるようになる。
【００３４】
具体的には、図９に示すように外装シート２に直に外面前後表記１１を形成するのが簡易であるため望ましい。この外面前後表記１１は外装シート２への直接印刷のほか、前後表記を印刷した或いは外面前後表記の形状に形成したシートの貼り付けにより形成することができる。この場合、図１０及び図１１に示すように、装着時におけるカバー手段に対するズレを防止する目的で、外装シート２（不透液性バックシート）の外表面にズレ防止粘着材層６０および剥離シート６１を積層することが可能である。このズレ防止粘着材層６０および剥離シート６１は、図示のように縦方向一端から他端まで連続するように設けるほか、製品の縦方向に間隔をおいて複数設けることもできる。さらにこの場合、剥離シート６１として透明または半透明の材料を用いることにより、外装シート２の外面前後表記１１，１１が剥離シート６１を介して外部から視認できるように構成することができる。また図１２に示すように剥離シート６１にも外面前後表記１１を印刷することもでき、この場合の剥離シート６１としては、透明または半透明の材料を用いることもできるが、不透明な材料を用い、外装シート２に付した前後表記１１が剥離シート６１を介して外部から視認できないように構成することもできる。
【００３５】
他方、かかる外面前後表記を設ける場合には次のような問題点がある。すなわち、本発明が対象とする吸収性物品は、一般にコンパクト化のために、３つ折り以上に小さく折り畳まれて包装される。この際、従来の製品では折り畳まれていると、外面前後表記の一部または全部が隠れてしまったり、上面または下面の一方側にしか外面前後表記がない状態となるものしかなかった。そのため、製品使用者は、折り畳まれた状態の製品を一見しただけでは、外面前後表記を完全に読み取れなかったり、外面前後表記が有る面を探したりする苦労があった。
【００３６】
そこで、図１３に（Ａ）三つ折り状態の第１の例、（Ｂ）三つ折り状態の第１の例、（Ｃ）四つ折り状態の第１の例、ならびに（Ｄ）四つ折り状態の第２の例を示すように、折り畳んだ状態で少なくとも上面２０１となる位置および下面２０２となる位置に少なくとも一つの完全な外面前後表記１１，１１がそれぞれ位置するように、ズレ止め手段からなる前後表記１１，１１…を設けることを推奨する。これにより、畳まれた状態で上面２０１となる位置および下面２０２となる位置に少なくとも一つの完全な外面前後表記１１，１１がそれぞれ位置するため、製品使用者は、折り畳まれた状態の製品を一見しただけでもその前後を容易に判別することができるようになる。
【００３７】
さらに図１３（Ｂ）に示す例では、折り畳み状態から使用状態に広げたときに現れる見開き面２０３には前後表記がなく、一見して外面前後表記を視認できない。よって更に好適には、図１３（Ａ）（Ｃ）及び（Ｄ）に示すように、折畳み状態から開いたときに現れる見開き面２０３にも少なくとも一つの完全な外面前後表記１１が位置するように構成するのが好ましい。これにより、折り畳み状態から使用状態に広げる途中においても一見して外面前後表記１１を視認できるようになる。
【００３８】
さらに図示例のように、折り線部分２０４を跨ぐような前後表記１１がないようにすると、前後の判別に寄与しにくい表記の印刷を省略でき、使用者にとってはより見易くなる利点がもたらされ、製造者にとっては印刷コストの低減を図ることができる利点がもたらされる。
【００３９】
そして、かかる外面前後表記１１を本発明の内面前後表記１０と組み合わせることによって、どのような製品状態・視点においても、前後表１０，１１記を容易に視認することができるようになる。
【００４０】
（色に係る実験例）
表１に示すように、前後表記の色とその周囲部分の色との色差を変えながら、前後表記の見易さの官能評価（視認性・色の組合せ・清涼感・落ち着き感・総合評価）を５０人で行った。官能評価は、各評価項目に関して最良と感じる色の組合せを各人が選ぶようにして行った。また表２に評価結果を示した。評価結果は選択人数により示した。
【００４１】
【表１】
0004986339.tif 000002
【００４２】
【表２】
0004986339.tif 000003
【００４３】
（考察）色差ΔＥ* abが１００以上となる実施例４及び５では、同系色でないために視認性が良いと感じた人が多い。しかし、実施例４は黒白の組合せであるため、また実施例５は前後表記に鮮明な赤を用いたため、清涼感や落ち着き感が劣り、総合的な見易さに劣るという結果になった。さらに、茶系の色を組み合わせた実施例１、異系に近い同系色を組合せた実施例３についても、清涼感や落ち着き感が劣るために、総合評価が低くなった。
【００４４】
他方、実施例２および実施例６は、ともにL*a*b*表色系でa*＜０且つb*＜０の色、すなわち緑と青との間の色の組合せを採用したものであり、清涼感や落ち着き感等の評価が著しく高くなった。特に実施例２においては、色差ΔＥ* abも前述の望ましい範囲にあるため視認性の評価も最も高くなった。一方、実施例６においては両色ともにL*値が高く（薄い色）かつ明暗差が少なかったために、視認性は劣る結果となった。
【００４５】
【発明の効果】
以上のとおり、本発明によれば、自分で装着する場合において装着直前まで前後を容易に確認でき、装着ミスを起こしにくい吸収性物品となる。
【図面の簡単な説明】
【図１】  本発明に係る尿パッド例の一部破断斜視図である。
【図２】  図１のII−II断面図である。
【図３】  図１のIII−III断面図である。
【図４】  第１の形態を示す製品内面側平面図である。
【図５】  前後表記の各種形態を示す製品内面側平面図である。
【図６】  前後表記の各種形態を示す製品内面側平面図である。
【図７】  前後表記の各種形態を示す製品内面側平面図である。
【図８】  第２の形態を示す製品内面側平面図である。
【図９】  外面前後表記を有する形態の製品外面側平面図である。
【図１０】  ズレ防止用粘着材層および剥離シートを有する例の外面図である。
【図１１】  ズレ防止用粘着材層および剥離シートを有する例の縦断面図である。
【図１２】  ズレ防止用粘着材層および剥離シートを有し、さらに剥離シートに前後表記を有する例の縦断面図である。
【図１３】  各種折畳み状態を示す側面図である。
【図１４】  第４の形態を示す製品内面側平面図である。
【図１５】  第４の形態の要部縦断面図である。
【符号の説明】
１…透液性トップシート、２…不透液性バックシート（外装シート）、３…吸収体、１０…前後表記。
【図１】
0004986339.tif 000004
【図２】
0004986339.tif 000005
【図３】
0004986339.tif 000006
【図４】
0004986339.tif 000007
【図５】
0004986339.tif 000008
【図６】
0004986339.tif 000009
【図７】
0004986339.tif 000010
【図８】
0004986339.tif 000011
【図９】
0004986339.tif 000012
【図１０】
0004986339.tif 000013
【図１１】
0004986339.tif 000014
【図１２】
0004986339.tif 000015
【図１３】
0004986339.tif 000016
【図１４】
0004986339.tif 000017
【図１５】
0004986339.tif 000018